(57)【要約】【課題】本発明は、電源回路に関し、例えば親子電話の子機に適用して、機器の使用を停止することなく、メモリ効果による容量の低下を有効に回避することができるようにする。【解決手段】本発明は、複数の二次電池３Ａ、３Ｂのうちの一部の二次電池３Ａ（３Ｂ）により負荷４に電力を供給するようにして、所定のタイミングで電力を供給していない二次電池３Ｂ（３Ａ）の電力を強制的に放電させた後（９）、充電する（８）。【選択図】        図１
2004153912.tif 000002
【特許請求の範囲】
【請求項１】
複数個の二次電池と、
前記二次電池を充電する充電手段と、
前記二次電池の電力を放電させる放電手段と、
前記複数個の二次電池のうちの一部の二次電池より負荷に電力を供給するように、前記複数個の二次電池と前記負荷との間の接続を切り換える切り換え手段と、
前記充電手段、放電手段、切り換え手段を制御する制御手段とを備え、
前記制御手段の制御により、
所定のタイミングで、前記複数個の二次電池のうちの少なくとも１個の二次電池を強制放電モードに設定し、
前記一部の二次電池を前記強制放電モードに設定した以外の前記二次電池に設定し、
前記強制放電モードに設定した二次電池の電力を前記放電手段により放電させた後、前記充電手段により充電する
ことを特徴とする電源回路。
【請求項２】
前記複数の二次電池を順次循環的に前記強制放電モードに設定する
ことを特徴とする請求項１に記載の電源回路。
【請求項３】
前記切り換え手段による接続により、
前記負荷に電力を供給しない二次電池を順次循環的に設定する
ことを特徴とする請求項１に記載の電源回路。
【発明の詳細な説明】
【０００１】
【発明の属する技術分野】
本発明は、電源回路に関し、例えば親子電話の子機に適用することができる。本発明は、複数の二次電池のうちの一部の二次電池により負荷に電力を供給するようにして、所定のタイミングで電力を供給していない二次電池の電力を強制的に放電させた後、充電することにより、機器の使用を停止することなく、メモリ効果による容量の低下を有効に回避することができるようにする。
【０００２】
【従来の技術】
従来、電話器においては、本体装置とハンドセットとの間でワイヤレスで音声を送受することにより、ハンドセットを種々の場所に持ち運んで通話を楽しめるものが提供されるようになされている。またいわゆる親子電話の子機にあっても、同様に、種々の場所に持ち運んで通話を楽しめるようになされている。
【０００３】
このハンドセット、子機においては、ニッケル水素等による二次電池により動作するようになされ、通話を終了して本体装置、載置台に載置すると、この本体装置、載置台から供給される電源により二次電池を充電するようになされている。
【０００４】
このような二次電池においては、充放電を繰り返すといわゆるメモリ効果により容量が徐々に低下する欠点がある。このため従来、残った電力を強制的に放電させて充電することにより、この容量の低下を防止する方法が提案されるようになされている。例えば特許第２７０７１６３号においては、このような強制的な放電を自動的に実行することにより、メモリ効果による容量の低下を防止するようになされている。
【０００５】
【特許文献１】
特許第２７０７１６３号明細書
【０００６】
【発明が解決しようとする課題】
ところでこのように強制的に放電させて充電する場合、メモリ効果による容量の低下については防止し得るものの、一時的に機器を使用することが困難になる問題がある。特に、電話器においては、いつ何どき電話がかかるか判らないことにより、実際上、このように一時的にでも使用することが困難な事態は、回避することが必要とされる。
【０００７】
本発明は以上の点を考慮してなされたもので、機器の使用を停止することなく、メモリ効果による容量の低下を有効に回避することができる電源回路を提案しようとするものである。
【０００８】
【課題を解決するための手段】
かかる課題を解決するため請求項１の発明においては、所定のタイミングで、複数個の二次電池のうちの少なくとも１個の二次電池を強制放電モードに設定し、負荷に電力を供給する一部の二次電池をこの強制放電モードに設定した以外の二次電池に設定し、強制放電モードに設定した二次電池の電力を放電手段により放電させた後、充電手段により充電する。
【０００９】
請求項１の構成によれば、所定のタイミングで、複数個の二次電池のうちの少なくとも１個の二次電池を強制放電モードに設定し、負荷に電力を供給する一部の二次電池をこの強制放電モードに設定した以外の二次電池に設定し、強制放電モードに設定した二次電池の電力を放電手段により放電させた後、充電手段により充電することにより、この強制放電モードに設定した以外の二次電池により負荷に電力を供給しながら、強制放電モードに設定した二次電池について、メモリ効果による容量の低下を有効に回避することができる。これにより機器の使用を停止することなく、メモリ効果による容量の低下を有効に回避することができる。
【００１０】
【発明の実施の形態】
以下、適宜図面を参照しながら本発明の実施の形態を詳述する。
【００１１】
（１）実施の形態の構成
図１は、本発明の実施の形態に係る親子電話の子機の構成を示すブロック図である。この子機１においては、載置台に載置されると、この載置台に設けられた電源２より電源が供給され、内蔵の二次電池３が充電される。また子機１は、この載置台より取り外して操作子を操作することにより、二次電池３の電源により動作を立ち上げ、図示しない本体装置を介して所望の通話対象と通話できるようになされている。
【００１２】
この子機１において、負荷４は、これら通話に係る各種の処理を実行する本体部である。具体的に、負荷４は、本体装置との間でワイヤレスで各種データ、音声を送受することにより、本体装置を介して、通話対象との間で回線を接続し、また通話対象との間で音声を送受する。この子機１は、電源回路５よりこの負荷４の動作に必要な電源を供給するようになされている。
【００１３】
すなわちこの電源回路５において、二次電池３は、ほぼ容量が同一である２つの二次電池セル３Ａ、３Ｂにより構成され、各二次電池セル３Ａ、３Ｂは、それぞれ端子電圧、発熱等がコントローラ７により監視され、これにより過充電、過放電、異常発熱等を有効に回避できるようになされている。
【００１４】
トリクル充電回路６は、コントローラ７の制御により動作を開始し、電源２から供給される電源によりこの２つの二次電池セル３Ａ及び３Ｂをトリクル充電する。急速充電回路８は、コントローラ７の制御により動作を開始し、電源２から供給される電源により二次電池セル３Ａ及び３Ｂを急速充電する。これらの構成によりこの電源回路５では、コントローラ７によるトリクル充電回路６、急速充電回路８の制御により、載置台に設けられた電源２により二次電池セル３Ａ及び３Ｂをそれぞれ充電できるようになされている。なおここで電源２は、載置台に設けられたＡＣアダプター等による電源である。
【００１５】
完全放電回路９は、例えば抵抗により構成され、選択回路１０を介して二次電池セル３Ａ及び３Ｂに接続され、二次電池セル３Ａ及び３Ｂの電力を放電させる。ここで選択回路１０は、コントローラ７の制御により、二次電池セル３Ａ、３Ｂを完全放電回路９に接続するようになされている。これによりこの電源回路５では、コントローラ７による選択回路１０の設定により二次電池セル３Ａ又は３Ｂの電力を強制的に放電させるようになされている。
【００１６】
選択回路１１は、コントローラ７の制御により二次電池セル３Ａ又は３Ｂの電力を負荷４に供給する。
【００１７】
コントローラ７は、この電源回路５の動作を制御するコンピュータにより構成され、この子機１が載置台に載置されて電源２より電源が供給されている場合には、この電源２の電源により、また例えばこの子機１が載置台より取り外されてこの電源２からの電源の供給が途絶えた場合には、二次電池３の電源により動作する。
【００１８】
コントローラ７は、二次電池セル３Ａ、３Ｂの端子電圧により二次電池セル３Ａ、３Ｂに保持された電力を監視する。またコントローラ７は、この監視結果より二次電池セル３Ａ又は３Ｂの電力が満充電時の電力以下の場合、この子機１が載置台に載置されて電源２より電源が供給されると、急速充電回路８に動作の開始を指示し、二次電池セル３Ａ又は３Ｂを満充電まで充電する。また二次電池セル３Ａ、３Ｂが満充電の場合、子機１が載置台に載置されて電源２より電源が供給されると、又は急速充電により二次電池セル３Ａ又は３Ｂが満充電になると、トリクル充電回路６に動作の開始を指示し、満充電に係る二次電池セル３Ａ、３Ｂをトリクル充電する。
【００１９】
またコントローラ７は、選択回路１１の制御により、このようにして充電してなる二次電池セル３Ａ、３Ｂの一方の電力を選択的に負荷４に供給し、この一方の二次電池セル３Ａ又は３Ｂの電力が過放電直前の電力となると、他方の二次電池セル３Ｂ又は３Ａに接続を切り換えて負荷４に電力を供給する。
【００２０】
またコントローラ７は、急速充電時に係る過去の記録より、所定のタイミングで選択回路１０の設定を切り換え、二次電池セル３Ａ又は３Ｂを完全放電回路９に接続し、これによりこの二次電池セル３Ａ又は３Ｂを強制的に放電させる。
【００２１】
これによりこの電源回路５では、電源２により充電して二次電池セル３Ａ、３Ｂを充電し、この充電した電力により負荷４に電力を供給するようにして、所定のタイミングで二次電池３Ａ又は３Ｂを強制的に放電させ、これによりメモリ効果による容量の低下を回避する。またこのように強制的に放電させて困難となった負荷４への電力供給を他方の二次電池セル３Ｂ又は３Ａにより実行するようになされ、これにより機器の使用を停止することなく、メモリ効果による容量の低下を有効に回避するようになされている。
【００２２】
この実施の形態では、急速充電の回数が所定回数となると、この所定回数となった二次電池セル３Ａ又は３Ｂについて、このような強制的な放電の処理を実行した後、所定回数だけ急速充電、強制的な放電を繰り返すようになされている。
【００２３】
なおコントローラ７は、これらの処理において、二次電池セル３Ａ、３Ｂの端子電圧、発熱の監視により、急速充電回路８、選択回路１０を制御し、これにより二次電池セル３Ａ、３Ｂの過充電、過放電を防止するようになされている。またコントローラ７は、上述した電源２、負荷４による充放電、完全放電回路９による強制的な放電を実行して、充電した電力の不足により二次電池セル３Ａ及び３Ｂの双方で負荷４への電力供給が困難になると、充電を指示する表示の点灯を負荷４に指示する。
【００２４】
すなわち図２は、このコントローラ７における電源供給時の処理手順を示すフローチャートである。コントローラ７は、負荷４における操作子の操作により二次電池３の電力により動作を立ち上げ、メモリの記録に従って、最も最近、後述する強制放電モードに設定した側とは逆側の二次電池セル３Ａ又は３Ｂより電力を供給するように、選択回路１１を設定する。このようにして電力の供給を開始して、コントローラ７は、一定の時間間隔によりこの処理手順を実行する。これによりこの実施の形態では、後述するように、２つの二次電池セル３Ａ又は３Ｂを順次に強制放電モードに設定するようになされている。
【００２５】
すなわちコントローラ７は、ステップＳＰ１からステップＳＰ２に移り、現在電力供給中の二次電池セル３Ａ又は３Ｂについて、電力が充分にあるか否か、すなわちこの二次電池セル３Ａ又は３Ｂが過放電の直前の状態まで使用されていないことを確認する。ここで肯定結果が得られると、コントローラ７は、ステップＳＰ２からステップＳＰ３に移り、この処理手順を終了する。
【００２６】
これに対してステップＳＰ２で否定結果が得られると、コントローラ７は、ステップＳＰ２からステップＳＰ４に移る。ここでコントローラ７は、他方の二次電池セル３Ｂ又は３Ａが使用可能か否か判断する。ここで二次電池セル３Ｂ又は３Ａが過放電直前まで放電している場合、又は後述する強制充電モードに設定されている場合、コントローラ７は、ステップＳＰ４からステップＳＰ５に移り、充電を指示する表示の点灯を負荷４に指示した後、ステップＳＰ３に移ってこの処理手順を終了する。
【００２７】
これに対してステップＳＰ４で肯定結果が得られると、コントローラ７は、ステップＳＰ４からステップＳＰ６に移り、ここで選択回路１１の設定を切り換え、負荷４に電力を供給する二次電池セル３Ａ、３Ｂを切り換えた後、ステップＳＰ３に移ってこの処理手順を終了する。
【００２８】
なおコントローラ７は、ステップＳＰ５において一旦、充電を指示する表示の点灯を負荷４に指示した後、継続して電力を供給し続けている場合、一定時間の経過により、又は使用中の二次電池セル３Ａ又は３Ｂにおける端子電圧の変化により、電源の供給を停止するように全体の動作を制御し、またコントローラ自体も電源を立ち下げ、これにより過放電を防止するようになされている。
【００２９】
これらによりこの電源回路５では、２つの二次電池セル３Ａ、３Ｂの一方より負荷４に電力を供給し、この一方の二次電池セル３Ａ又は３Ｂで電力を消費し尽くすと、他方の二次電池セル３Ｂ又は３Ａより負荷４に電力を供給するようになされている。
【００３０】
図３は、このコントローラ７における電源２からの電源供給時における処理手順を示すフローチャートである。コントローラ７は、電源２からの電源供給により動作を立ち上げ、この処理手順を実行する。なおコントローラ７は、強制放電モードに設定されていない各二次電池セル３Ａ、３Ｂについて、それぞれこの処理手順を実行する。従って２つの二次電池セル３Ａ、３Ｂが共に、強制放電モードに設定されている場合、この処理手順の実行を中止する。
【００３１】
すなわちコントローラ７は、ステップＳＰ１１からステップＳＰ１２に移り、二次電池セル３Ａ（３Ｂ）について、端子電圧より満充電か否か判断する。ここで二次電池セル３Ａ（３Ｂ）が満充電の場合、コントローラ７は、ステップＳＰ１２からステップＳＰ１３に移り、トリクル充電回路６の制御により、この二次電池セル３Ａ（３Ｂ）のトリクル充電を開始した後、ステップＳＰ１４に移ってこの処理手順を終了する。
【００３２】
これに対してステップＳＰ１２で否定結果が得られると、コントローラ７は、ステップＳＰ１２からステップＳＰ１５に移り、急速充電の回数が所定回数となったか否か判断する。ここで肯定結果が得られると、コントローラ７は、ステップＳＰ１５からステップＳＰ１６に移り、この二次電池セル３Ａ（３Ｂ）を強制放電モードに設定した後、ステップＳＰ１４に移ってこの処理手順を終了する。
【００３３】
これに対してステップＳＰ１５で否定結果が得られると、コントローラ７は、ステップＳＰ１７に移り、急速充電回路８の制御によりこの二次電池セル３Ａ（３Ｂ）の急速充電を開始する。続いてコントローラ７は、ステップＳＰ１８に移り、急速充電を完了したか否か判断し、ここで否定結果が得られると、ステップＳＰ１８を繰り返す。これに対して二次電池セル３Ａ（３Ｂ）が満充電となると、コントローラ７は、ステップＳＰ１３に移り、この二次電池セル３Ａ（３Ｂ）をトリクル充電に切り換えた後、ステップＳＰ１４に移ってこの処理手順を終了する。
【００３４】
なおコントローラ７は、このようにしてトリクル充電を開始して、二次電池セル３Ａ、３Ｂの端子電圧の監視により、過充電を防止するようになされている。
【００３５】
これらにより電源回路５は、２つの二次電池セル３Ａ、３Ｂの一方より負荷４に電力を供給し、この一方の二次電池セル３Ａ又は３Ｂで電力を消費し尽くすと、他方の二次電池セル３Ｂ又は３Ａより負荷４に電力を供給し、これらにより二次電池セル３Ａ、３Ｂの双方、一方の電力が消費されると、この電力を消費した二次電池セル３Ａ、３Ｂを急速充電するようになされ、またその後、トリクル充電するようになされている。またこのようにして急速充電する場合に、急速充電の回数が所定回数となった場合、充電することなく、強制放電モードに設定するようになされている。
【００３６】
図４は、このようにして強制放電モードに設定した二次電池セル３Ａ又は３Ｂに係るコントローラ７の処理手順を示すフローチャートである。ここで強制放電モードは、完全放電回路９を用いて強制的に放電させた後、充電する処理を所定回数だけ繰り返すモードである。なおこの処理手順において、以下に説明する急速充電の処理は、この子機１が載置台に載置されて電源２の供給を受けている場合に実行される。これによりコントローラ７においては、この強制放電モードに係る処理手順については、上述した放電に係る処理手順、充電に係る処理手順と、適宜、同時並列的に実行するようになされ、また処理の途中で載置台より子機１が取り外された場合には、該当する急速充電のステップの直前で処理を一時中止し、載置台に子機１が載置された時点で処理を再開するようになされている。
【００３７】
すなわちコントローラ７は、二次電池セル３Ａ又は３Ｂを強制放電モードに設定すると、この処理手順を開始し、ステップＳＰ２１からステップＳＰ２２に移る。ここでコントローラ７は、選択回路１０の設定によりこの強制放電モードに設定した二次電池セル３Ａ又は３Ｂを完全放電回路９に接続し、残存する電力を放電させる。続いてコントローラ７は、ステップＳＰ２３に移り、ここでこの二次電池セル３Ａ又は３Ｂが過放電の直前が否か、すなわち放電を完了しているか否か判断し、ここで否定結果が得られると、ステップＳＰ２３を繰り返す。これによりコントローラ７は、この強制放電モードに設定した二次電池セル３Ａ又は３Ｂの電力を放電させる。
【００３８】
続いてコントローラ７は、ステップＳＰ２４に移り、ここでこの強制放電モードに設定した二次電池セル３Ａ又は３Ｂと完全放電回路９との接続を切り離した後、急速充電回路８によりこの二次電池セル３Ａ又は３Ｂの急速充電を開始する。また続くステップＳＰ２５において、急速充電を完了したか否か判断し、ここで否定結果が得られると、ステップＳＰ２５を繰り返す。これによりコントローラ７は、二次電池セル３Ａ又は３Ｂの電力を完全に放電させた後、充電し、続くステップＳＰ２６において、この強制放電モードに設定した二次電池セル３Ａ又は３Ｂについて、急速充電の回数が所定回数となったか否か判断し、ここで否定結果が得られると、ステップＳＰ２２に戻る。
【００３９】
これによりコントローラ７は、この強制放電モードに設定した二次電池セル３Ａ又は３Ｂの電力の完全放電、急速充電を所定回数だけ繰り返して、メモリ効果による容量の低下を回復させ、続くステップＳＰ２７において、強制放電モードを解除した後、ステップＳＰ２８に移ってこの処理手順を終了する。
【００４０】
これらによりこの実施の形態において、二次電池セル３Ａ及び３Ｂは、複数個の二次電池を構成し、急速充電回路８は、この二次電池を充電する充電手段を構成するようになされている。また完全放電回路９は、二次電池の電力を放電させる放電手段を構成し、選択回路１１は、複数個の二次電池のうちの一部の二次電池より負荷４に電力を供給するように、この複数個の二次電池と負荷４との間の接続を切り換える切り換え手段を構成するようになされている。またコントローラ７は、これら充電手段、放電手段、切り換え手段を制御する制御手段を構成し、所定のタイミングで、これら複数個の二次電池のうちの少なくとも１個の二次電池を強制放電モードに設定し、負荷４に電力を供給する一部の二次電池を強制放電モードに設定した以外の二次電池に設定し、強制放電モードに設定した二次電池の電力を放電手段により放電させた後、充電手段により充電するようになされている。
【００４１】
（１−２）第１の実施の形態の動作
以上の構成において、この子機１では、載置台に載置されると、電源２により二次電池３が充電され、載置台より取り外されて操作子が操作されると、この二次電池３に充電された電力が電源回路５から負荷４である各種回路ブロックに供給され、これにより本体装置を介して所望の通話対象との間で通話することができるようになされている。
【００４２】
このように構成される子機１において、電源回路５は、二次電池３を構成する２つの二次電池セル３Ａ、３Ｂのうち、一方の二次電池セル３Ａ又は３Ｂより負荷４に電力を供給して、この二次電池セル３Ａ又は３Ｂの電力が消費し尽くされない場合、通話を終了して載置台に載置することにより、この電力を消費した二次電池セル３Ａ又は３Ｂが、急速充電回路８によって電源２の電源により充電される。また電力の消費が軽微な場合、急速充電回路８に代えて、トリクル充電回路６によって電源２の電源により充電される。
【００４３】
これにより例えば短い時間の通話を繰り返す場合には、一方の二次電池セル３Ａ又は３Ｂの放電、充電が繰り返されて、この一方の二次電池セル３Ａ又は３Ｂに充電された電力が負荷４に供給される。
【００４４】
これに対して例えば長時間の通話によりこの一方の二次電池セル３Ａ又は３Ｂにおける電力消費が著しくなると、電源回路５では、他方の二次電池セル３Ｂ又は３Ａより電力を供給するように、選択回路１１の接点が切り換えられる。またこのようにして２つの二次電池セル３Ａ及び３Ｂの双方の電力を消費した場合、載置台への載置により、これら２つの二次電池セル３Ａ及び３Ｂが急速充電回路８によって電源２の電源により充電される。なおこのとき後から使用を開始した他方の二次電池セル３Ｂ又は３Ａにおける電力の消費が軽微な場合、この他方の二次電池セル３Ｂ又は３Ａについては、急速充電回路８に代えて、トリクル充電回路６によって電源２の電源により充電される。
【００４５】
またこのようにして他方の二次電池セル３Ｂ、３Ａに負荷への電力供給を切り換えて、再び載置台より取り外されて操作子が操作されると、始めの側である一方の二次電池セル３Ａ又は３Ｂより負荷４への電力供給が開始される。
【００４６】
これによりこの電源回路５では、２つの二次電池３Ａ、３Ｂを交互に使用して負荷４に電力供給するようになされている。
【００４７】
このようにして放電と充電とを繰り返すと、始めに電力を供給する側である一方の二次電池セル３Ａ又は３Ｂにおいては、他方の二次電池セル３Ｂ又は３Ａに比して、急速充電の回数が多くなることにより、早期にメモリ効果による容量の低下が現れる。
【００４８】
これによりこの電源回路５では、急速充電の回数が所定回数となると、この所定回数となった二次電池セル３Ａ又は３Ｂを強制放電モードに設定し、完全放電回路９に接続してこの二次電池セル３Ａ又は３Ｂの電力を放電させた後、電源２により充電可能となった時点で、この二次電池セル３Ａ又は３Ｂが急速充電される。電源回路５では、このような完全放電回路９による放電、急速充電が所定回数繰り返され、これによりメモリ効果による容量の低下が修復され、この二次電池セル３Ａ又は３Ｂの強制放電モードが解除される。
【００４９】
電源回路５では、このように二次電池セル３Ａ又は３Ｂを強制放電モードに設定している場合、負荷４への電力供給、この電力供給により消費した電力の充電については、強制放電モードに設定されていない二次電池セル３Ｂ又は３Ａにより実行され、これによりこのように強制放電モードに設定している期間の間、一時的に、二次電池３全体としての容量は低下するものの、必要に応じて通話等の処理を実行し得、これにより機器の使用を停止することなく、メモリ効果による容量の低下を有効に回避することができる。
【００５０】
かくするにつき、電源回路５では、このようにして一方の二次電池セル３Ａ又は３Ｂを強制放電モードに設定した場合にあって、この強制放電モードを解除した場合、始めに負荷４に電力の供給する二次電池セルが他方の二次電池セル３Ｂ又は３Ａに切り換えられる。これによりこの電源回路５では、使用を継続して、次はこの他方の二次電池セル３Ｂ又は３Ａが強制放電モードに設定され、この二次電池セル３Ｂ又は３Ａのメモリ効果による容量の低下が修復される。
【００５１】
これによりこの電源回路５では、２つの二次電池セル３Ａ、３Ｂを交互に使用して、また２つの二次電池セル３Ａ、３Ｂを交互に強制放電モードに設定して、これら２つの二次電池セル３Ａ、３Ｂをほぼ同一の条件により使用し、一方の二次電池セル３Ａ又は３Ｂだけ寿命となるような一部の二次電池の特性劣化を有効に回避することができるようになされている。
【００５２】
（１−３）第１の実施の形態の効果
以上の構成によれば、複数の二次電池のうちの一部の二次電池により負荷に電力を供給するようにして、所定のタイミングで電力を供給していない二次電池の電力を強制的に放電させた後、充電することにより、機器の使用を停止することなく、メモリ効果による容量の低下を有効に回避することができる。
【００５３】
またこのとき２個の二次電池セルを交互に強制放電モードに設定することにより、複数の二次電池を順次循環的に強制放電モードに設定し、これら複数の二次電池のうちの一部の二次電池の特性劣化を防止することができる。
【００５４】
またこのとき２個の二次電池セルより交互に負荷に電力供給することにより、負荷に電力を供給しない二次電池を順次循環的に設定し、これによってもこれら複数の二次電池のうちの一部の二次電池の特性劣化を防止することができる。
【００５５】
（２）第２の実施の形態
図５は、本発明の第２の実施の形態に係るコンピュータを示すブロック図である。このコンピュータ２１は、いわゆるノートパソコンであり、ＡＣアダプターによる電源１２を接続できるように構成され、このＡＣアダプターによる電源１２の電力により、又はこの電源１２の電力で充電された二次電池１３の電力により動作するようになされている。なおこの図５に示す構成において、第１の実施の形態について上述した子機１と同一の構成は、対応する符号を付して示し、重複した説明は省略する。
【００５６】
このためこのコンピュータ２１の電源回路２５は、コンピュータ本体である負荷１４に対して、選択回路３１を介して、電源１２の電力、二次電池１３による電力を選択的に供給できるようになされ、この選択回路３１の設定を電源１２の接続の有無によりコントローラ２７で切り換えるようになされている。
【００５７】
また第１の実施の形態と同様に、この電源回路２５において、二次電池１３は、２つの二次電池セル１３Ａ及び１３Ｂにより構成され、これら２つの二次電池セル１３Ａ及び１３Ｂより負荷１４に交互に電力を供給し、また所定回数の急速充電により強制放電モードに設定して処理するようになされている。
【００５８】
図５に示す構成によれば、コンピュータの電源に適用して、ＡＣアダプターによる電源１２の電力、この電源１２の電力で充電された二次電池１３の電力を選択的に負荷に供給する場合でも、第１の実施の形態と同様の効果を得ることができる。
【００５９】
（３）他の実施の形態
なお上述の実施の形態においては、一定回数の急速充電により強制放電モードに設定する場合について述べたが、本発明はこれに限らず、一定時間の使用により強制放電モードに設定する場合、さらには充電時における端子電圧の変化で検出される二次電池の劣化の程度により強制放電モードに設定する場合等、強制放電モードへの設定においては、種々の管理方法を適用することができる。
【００６０】
また上述の実施の形態においては、強制放電モードに設定した後においては、他方の二次電池セルより使用を開始するように設定する場合について述べたが、本発明はこれに限らず、このような使用開始の設定にあっては、交互に設定する場合等、種々に設定することができる。
【００６１】
また上述の実施の形態においては、それぞれ二次電池セルによる２つの二次電池を交互に使用する場合について述べたが、本発明はこれに限らず、例えば３個の二次電池セルより２つの二次電池セルを選択し、この２つの二次電池セルを直列に接続して電力を供給する場合等、要は、複数個の二次電池を使用するようにして、上述の実施の形態と同様の効果を得ることができる。
【００６２】
また上述の実施の形態においては、本発明を電話器の子機、コンピュータの電源に適用する場合について述べたが、本発明はこれに限らず、二次電池により動作する各種機器の電源に広く適用することができる。
【００６３】
【発明の効果】
上述のように本発明によれば、複数の二次電池のうちの一部の二次電池により負荷に電力を供給するようにして、所定のタイミングで電力を供給していない二次電池の電力を強制的に放電させた後、充電することにより、機器の使用を停止することなく、メモリ効果による容量の低下を有効に回避することができる。
【図面の簡単な説明】
【図１】本発明の第１の実施の形態に係る電話器の子機を示すブロック図である。
【図２】図１の電源回路におけるコントローラの放電時における処理手順を示すフローチャートである。
【図３】図１の電源回路におけるコントローラの充電時における処理手順を示すフローチャートである。
【図４】図１の電源回路におけるコントローラの強制放電モードにおける処理手順を示すフローチャートである。
【図５】本発明の第２の実施の形態に係るコンピュータを示すブロック図である。
【符号の説明】
１……子機、２、１２……電源、３、１３……二次電池、３Ａ、３Ｂ、１３Ａ、１３Ｂ……二次電池セル、４、１４……負荷、５、２５……電源回路、６……トリクル充電回路、７、２７……コントローラ、８……急速充電回路、９……完全放電回路、１０、１１、３１……選択回路
【図１】
2004153912.tif 000003
【図２】
2004153912.tif 000004
【図３】
2004153912.tif 000005
【図４】
2004153912.tif 000006
【図５】
2004153912.tif 000007